(57)【要約】【課題】利用者に選曲履歴とその楽曲関連情報を提示する。【解決手段】カラオケ演奏装置は、利用者端末から受信した演奏予約電文中の楽曲ＩＤを待ち行列に登録するとともに時系列に選曲履歴簿に記録し、利用者端末から履歴要求電文を受信した際に選曲履歴簿における最新の複数楽曲分の楽曲ＩＤ順列を含む履歴電文を利用者端末に送信し、利用者端末は、履歴電文中の各楽曲ＩＤに対応する曲名とアーティスト名を一覧表示させ、サイト説明記述とＵＲＬの対応付け情報を含む付加価値情報源を楽曲ＩＤに対応付けて複数格納した付加価値データベースにアクセスし、利用者入力により選択された楽曲の付加価値情報源を付加価値データベースから抽出し、その中のサイト説明記述を列挙表示させ、選択入力されたサイト説明記述に該当するＵＲＬを抽出し、インターネットに接続して当該ＵＲＬにリクエストを送信する。【選択図】図９
2008292856.tif 000002
【特許請求の範囲】
【請求項１】
１台のカラオケ演奏装置と、これと無線通信手段により通信する１台以上の利用者端末を備え、サーバー上の付加価値データベースにアクセス可能なカラオケシステムであって、
付加価値データベースは、楽曲ＩＤと付加価値情報源を対応付けて複数格納し、
付加価値情報源は、サイト説明記述とＵＲＬの対応付け情報を少なくとも１つ含み
カラオケ演奏装置は、記憶手段と、中央制御手段を備え、リクエスト曲の楽曲ＩＤを待ち行列に登録して順番に楽曲を演奏し、
記憶手段は、楽曲索引データベースと、選曲履歴簿を格納し、
楽曲索引データベースは、各楽曲の索引情報を楽曲ＩＤに対応づけて集約し、
選曲履歴簿は、楽曲ＩＤの順列を時系列に記憶し、
中央制御手段は、利用者端末から演奏予約電文を受信した際に第１処理を、利用者端末から履歴要求電文を受信した際に第２処理を行ない、
第１処理は、演奏予約電文中の楽曲ＩＤを待ち行列に登録するとともに選曲履歴簿に記録し、
第２処理は、選曲履歴簿における最新の複数楽曲分の楽曲ＩＤ順列を含む履歴電文を利用者端末に送信し、
利用者端末は、インターネット通信手段と、ユーザインタフェースと、端末制御手段を備え、
インターネット通信手段は、インターネットに接続可能とし、
ユーザインタフェースは、端末制御手段の制御により情報画面を表示するとともに利用者入力を受け付け、利用者入力に従ってカラオケ演奏装置の楽曲索引データベースにアクセスして利用者が選択した楽曲の楽曲ＩＤを含む演奏予約電文をカラオケ演奏装置に送信するとともに、履歴要求の利用者入力があった際に第３〜第６処理を行ない、
第３処理は、履歴要求電文をカラオケ演奏装置に送信し、履歴電文をカラオケ演奏装置から受信し、
第４処理は、カラオケ演奏装置の楽曲索引データベースにアクセスし、受信した履歴電文中の各楽曲ＩＤに対応する曲名とアーティスト名を一覧表示させ、かつ、いずれかの楽曲を選択する利用者入力を受け付け、
第５処理は、第４処理にて1曲を選択する利用者入力があった際、付加価値データベースにアクセスして当該楽曲の付加価値情報源を抽出し、その中のサイト説明記述を列挙表示させるとともに、１つのサイト説明記述の選択入力を受け付け可能とし、
第６処理は、第５処理にてサイト説明記述の選択入力があった際、当該サイト説明記述に該当するＵＲＬを抽出し、インターネットに接続して当該ＵＲＬにリクエストを送信する
カラオケシステム。
【請求項２】
１台のカラオケ演奏装置と、これと無線通信手段により通信する１台以上の利用者端末を備え、サーバー上の付加価値データベースにアクセス可能なカラオケシステムであって、
付加価値データベースは、楽曲ＩＤと付加価値情報源を対応付けて複数格納し、
付加価値情報源は、サイト説明記述とＵＲＬの対応付け情報を少なくとも１つ含み、
カラオケ演奏装置は、第１記憶手段と、中央制御手段を備え、リクエスト曲の楽曲ＩＤを待ち行列に登録して順番に楽曲を演奏し、
第１記憶手段は、楽曲ＩＤの順列を時系列に記憶した選曲履歴簿を格納し、
中央制御手段は、利用者端末から演奏予約電文を受信した際に第１処理を、利用者端末から履歴要求電文を受信した際に第２処理を行ない、
第１処理は、演奏予約電文中の楽曲ＩＤを待ち行列に登録するとともに選曲履歴簿に記録し、
第２処理は、選曲履歴簿における最新の複数楽曲分の楽曲ＩＤ順列を含む履歴電文を利用者端末に送信し、
利用者端末は、第２記憶手段と、インターネット通信手段と、ユーザインタフェースと、端末制御手段を備え、
第２記憶手段は、各楽曲の索引情報を楽曲ＩＤに対応づけて集約した楽曲索引データベースを格納し、
インターネット通信手段は、インターネットに接続可能とし、
ユーザインタフェースは、端末制御手段の制御により情報画面を表示するとともに利用者入力を受け付け、利用者入力に従って楽曲索引データベースにアクセスして利用者が選択した楽曲の楽曲ＩＤを含む演奏予約電文をカラオケ演奏装置に送信するとともに、履歴要求の利用者入力があった際に第３〜第６処理を行ない、
第３処理は、履歴要求電文をカラオケ演奏装置に送信し、履歴電文をカラオケ演奏装置から受信し、
第４処理は、楽曲索引データベースにアクセスし、受信した履歴電文中の各楽曲ＩＤに対応する曲名とアーティスト名を一覧表示させ、かつ、いずれかの楽曲を選択する利用者入力を受け付け、
第５処理は、第４処理にて１曲を選択する利用者入力があった際、付加価値データベースにアクセスして当該楽曲の付加価値情報源を抽出し、その中のサイト説明記述を列挙表示させるとともに、１つのサイト説明記述の選択入力を受け付け可能とし、
第６処理は、第５処理にてサイト説明記述の選択入力があった際、当該サイト説明記述に該当するＵＲＬを抽出し、インターネットに接続して当該ＵＲＬにリクエストを送信する
カラオケシステム。
【請求項３】
選曲履歴簿は、楽曲ＩＤに、未演奏曲／既演奏曲の区別情報を付加し、
中央制御手段は、楽曲の演奏に伴って選曲履歴簿における演奏した楽曲の楽曲ＩＤに前記区別情報を付加するとともに、第２処理にて選曲履歴簿における最新の複数楽曲分の前記区別情報付き楽曲ＩＤ順列を含む履歴電文を利用者端末に送信し、
端末制御手段は、第４処理にて一覧表示する曲名・アーティスト名について、未演奏曲と既演奏曲を視覚的に区別できるように表示させる
請求項１または２に記載のカラオケシステム。
【発明の詳細な説明】
【技術分野】
【０００１】
この発明は、カラオケの娯楽性を向上させるための技術改良に関し、特に、カラオケ利用客が選曲し演奏予約した曲の履歴情報を提示する機能を備えたカラオケシステムに関する。
【背景技術】
【０００２】
周知のように、カラオケ店では分厚いカラオケ目次本のかわりに、タブレットタイプのコンピュータで構成された電子目次本（利用者端末）が普及している。ＤＡＭステーション、デンモク、キョクＮＡＶＩ、ナビカラなどの商品名で知られている。このような利用者端末は、タブレットコンピュータのもつ高い演算能力や記憶能力・通信能力を利用することにより、個人の好みの曲をあらかじめ記憶させておいたり、多様な切り口でカラオケ楽曲を検索させて選曲したりすることが可能である。
【０００３】
たとえば、特許第３５７３４２０号公報には、アーティストのアルバム名やジャケット写真をつかって目的の曲を検索する機能について開示されている。  
また、特許第３５９５２９２号公報には、利用者別の記憶領域に好みの楽曲を登録しておいたり、読み出して選曲に利用したりできる機能が開示されている。  
また、特許第３６４５２１１号公報には、利用者の年齢や年代に基づいて、利用者の記憶に残る年代の流行曲を検索できる、いわゆる「あの頃検索」機能が開示されている。
【特許文献１】特許第３５７３４２０号公報
【特許文献２】特許第３５９５２９２号公報
【特許文献３】特許第３６４５２１１号公報
【発明の開示】
【発明が解決しようとする課題】
【０００４】
上記のようなさまざまな選曲操作は、あれこれ思いもよらない曲が見つかったりすることもあり、それだけでカラオケの楽しみの一つにもなっている。反面、たまたま見つけた曲については、同じ操作を再現することは面倒であったり難しかったり、曲名やアーティスト名はうろ覚えであることも少なくはなく、同じ曲を再度選曲するのは意外に面倒である。
【０００５】
そこで、利用者がさまざまに検索して選曲した履歴を一目で確認できると便利だと本発明者は考えた。利用者が選曲して演奏予約した楽曲は、一般に、予約曲リストで確認できるし、演奏済みの曲は演奏履歴として確認することができる。しかし選曲履歴であれば、その中には当然に、予約中の曲だけでなく演奏済みの曲も含まれる。そのため、予約中の曲も演奏済みの曲も区別せずに、曲名やアーティスト名などを簡単に確認できる。また、選曲操作に夢中になっている間に演奏された曲を聞き逃した場合などに、予約リストに載っていないから重複していないと勘違いして同じ曲を間違って予約してしまうようなことが避けられる。逆に、先に選曲して予約した曲をもう一度確認したい場合に、演奏済みか予約中かを区別して見るリストを変えることなく、しかも面倒な選曲操作をもう一度最初からしなくても、簡単に確認することができる。
【０００６】
しかも、選曲履歴にある楽曲は元来この利用者の好みに合った楽曲である場合が多いので、その好きな曲のアーティストの情報や楽曲のいわれやＣＤの発売情報など、楽曲にまつわる情報もわかると楽しみが倍増するだろう。本発明は、このようなことを考えながら創作したものである。
【課題を解決するための手段】
【０００７】
本発明は、次の事項（１）〜（17）によって特定されるものである。  
（１）１台のカラオケ演奏装置と、これと無線通信手段により通信する１台以上の利用者端末を備え、サーバー上の付加価値データベースにアクセス可能なカラオケシステムであること
（２）付加価値データベースは、楽曲ＩＤと付加価値情報源を対応付けて複数格納すること
（３）付加価値情報源は、サイト説明記述とＵＲＬの対応付け情報を少なくとも１つ含むこと
（４）カラオケ演奏装置は、記憶手段と、中央制御手段を備え、リクエスト曲の楽曲ＩＤを待ち行列に登録して順番に楽曲を演奏すること
（５）記憶手段は、楽曲索引データベースと、選曲履歴簿を格納すること
（６）楽曲索引データベースは、各楽曲の索引情報を楽曲ＩＤに対応づけて集約すること
（７）選曲履歴簿は、楽曲ＩＤの順列を時系列に記憶すること
（８）中央制御手段は、利用者端末から演奏予約電文を受信した際に第１処理を、利用者端末から履歴要求電文を受信した際に第２処理を行なうこと
（９）第１処理は、演奏予約電文中の楽曲ＩＤを待ち行列に登録するとともに選曲履歴簿に記録すること
（10）第２処理は、選曲履歴簿における最新の複数楽曲分の楽曲ＩＤ順列を含む履歴電文を利用者端末に送信すること
（11）利用者端末は、インターネット通信手段と、ユーザインタフェースと、端末制御手段を備えること
（12）インターネット通信手段は、インターネットに接続可能とすること
（13）ユーザインタフェースは、端末制御手段の制御により情報画面を表示するとともに利用者入力を受け付け、利用者入力に従ってカラオケ演奏装置の楽曲索引データベースにアクセスして利用者が選択した楽曲の楽曲ＩＤを含む演奏予約電文をカラオケ演奏装置に送信するとともに、履歴要求の利用者入力があった際に第３〜第６処理を行なうこと
（14）第３処理は、履歴要求電文をカラオケ演奏装置に送信し、履歴電文をカラオケ演奏装置から受信すること
（15）第４処理は、カラオケ演奏装置の楽曲索引データベースにアクセスし、受信した履歴電文中の各楽曲ＩＤに対応する曲名とアーティスト名を一覧表示させ、かつ、いずれかの楽曲を選択する利用者入力を受け付けること
（16）第５処理は、第４処理にて1曲を選択する利用者入力があった際、付加価値データベースにアクセスして当該楽曲の付加価値情報源を抽出し、その中のサイト説明記述を列挙表示させるとともに、１つのサイト説明記述の選択入力を受け付け可能とすること
（17）第６処理は、第５処理にてサイト説明記述の選択入力があった際、当該サイト説明記述に該当するＵＲＬを抽出し、インターネットに接続して当該ＵＲＬにリクエストを送信すること
【０００８】
またこの発明は、次の事項（21）〜（36）により特定されるものである。  
（21）１台のカラオケ演奏装置と、これと無線通信手段により通信する１台以上の利用者端末を備え、サーバー上の付加価値データベースにアクセス可能なカラオケシステムであること
（22）付加価値データベースは、楽曲ＩＤと付加価値情報源を対応付けて複数格納すること
（23）付加価値情報源は、サイト説明記述とＵＲＬの対応付け情報を少なくとも１つ含むこと
（24）カラオケ演奏装置は、第１記憶手段と、中央制御手段を備え、リクエスト曲の楽曲ＩＤを待ち行列に登録して順番に楽曲を演奏すること
（25）第１記憶手段は、楽曲ＩＤの順列を時系列に記憶した選曲履歴簿を格納すること
（26）中央制御手段は、利用者端末から演奏予約電文を受信した際に第１処理を、利用者端末から履歴要求電文を受信した際に第２処理を行なうこと
（27）第１処理は、演奏予約電文中の楽曲ＩＤを待ち行列に登録するとともに選曲履歴簿に記録すること
（28）第２処理は、選曲履歴簿における最新の複数楽曲分の楽曲ＩＤ順列を含む履歴電文を利用者端末に送信すること
（29）利用者端末は、第２記憶手段と、インターネット通信手段と、ユーザインタフェースと、端末制御手段を備えること
（30）第２記憶手段は、各楽曲の索引情報を楽曲ＩＤに対応づけて集約した楽曲索引データベースを格納すること
（31）インターネット通信手段は、インターネットに接続可能とすること
（32）ユーザインタフェースは、端末制御手段の制御により情報画面を表示するとともに利用者入力を受け付け、利用者入力に従って楽曲索引データベースにアクセスして利用者が選択した楽曲の楽曲ＩＤを含む演奏予約電文をカラオケ演奏装置に送信するとともに、履歴要求の利用者入力があった際に第３〜第６処理を行なうこと
（33）第３処理は、履歴要求電文をカラオケ演奏装置に送信し、履歴電文をカラオケ演奏装置から受信すること
（34）第４処理は、楽曲索引データベースにアクセスし、受信した履歴電文中の各楽曲ＩＤに対応する曲名とアーティスト名を一覧表示させ、かつ、いずれかの楽曲を選択する利用者入力を受け付けること
（35）第５処理は、第４処理にて１曲を選択する利用者入力があった際、付加価値データベースにアクセスして当該楽曲の付加価値情報源を抽出し、その中のサイト説明記述を列挙表示させるとともに、１つのサイト説明記述の選択入力を受け付け可能とすること
（36）第６処理は、第５処理にてサイト説明記述の選択入力があった際、当該サイト説明記述に該当するＵＲＬを抽出し、インターネットに接続して当該ＵＲＬにリクエストを送信すること
【０００９】
これらの発明において、選曲履歴簿は、楽曲ＩＤに、未演奏曲／既演奏曲の区別情報を付加し、中央制御手段は、楽曲の演奏に伴って選曲履歴簿における演奏した楽曲の楽曲ＩＤに前記区別情報を付加するとともに、第２処理にて選曲履歴簿における最新の複数楽曲分の前記区別情報付き楽曲ＩＤ順列を含む履歴電文を利用者端末に送信し、端末制御手段は、第４処理にて一覧表示する曲名・アーティスト名について、未演奏曲と既演奏曲を視覚的に区別できるように表示させることが望ましい。
【発明の効果】
【００１０】
この発明に係る利用者端末によれば、選曲された曲が予約中の曲だけでなく演奏済みの曲も一覧的にひと目で確認できる。そのため、予約中の曲も演奏済みの曲も区別せずに、曲名やアーティスト名などを簡単に確認できる。また、選曲操作に夢中になっている間に演奏された曲を聞き逃した場合などに、予約リストに載っていないから重複していないと勘違いして同じ曲を間違って予約してしまう、というようなことが避けられる。逆に、先に選曲して予約した曲をもう一度確認したい場合に、予約中か演奏済みかを区別して見るリストを変えることなく、しかも面倒な楽曲検索をもう一度最初からしなくても、簡単に確認したり予約したりすることができる。しかも選曲した好きな曲やアーティストの情報などの楽曲にまつわる情報を簡単に仕入れることもできるので、カラオケの楽しみが飛躍的に拡大する。  
また、１台のカラオケ装置の周辺で複数台の利用者端末を使って選曲した場合にも、どの利用者端末でも同じ選曲履歴を見ることができる。
【発明を実施するための最良の形態】
【００１１】
＝＝＝ネットワーク構成＝＝＝
図１に、本発明の実施例における通信カラオケシステムのネットワーク構成を示した。インターネット６０ａを利用したＶＰＮ（Virtual Private Network）６０ｂには、カラオケ事業者の各地のカラオケ店１００に敷設されたＬＡＮ１１０やカラオケサーバー７０が接続されて広域イントラネットが構築されている。各地の複数の客室を備えたカラオケ店１００の各客室には、周知の通信カラオケシステムのカラオケ演奏装置１０と、当該カラオケ演奏装置を操作するための利用者端末２０が設置されている。カラオケ演奏装置１０はＬＡＮ１１０を介して同室内のカラオケ利用者端末２０と通信したり、ルータ５０を経由して接続したＶＰＮ６０ｂを介してカラオケサーバー７０と通信してカラオケ楽曲の伴奏音楽の起源となるカラオケデータの配信を受けたり、稼働ログを送信したりする。
【００１２】
カラオケサーバー７０は、通信カラオケシステムにおけるホスト装置なるコンピュータであり、カラオケ楽曲の起源となるカラオケデータを蓄積したカラオケデータベースや、カラオケ楽曲の索引情報を蓄積した楽曲索引データベースや、会員として登録された利用者の情報を管理する会員情報データベースなどの各種データベースを備えている。そして、カラオケ演奏装置１０や利用者端末２０は、ＶＰＮ６０ｂを介してカラオケサーバー７０と通信し、カラオケデータの配信を受けたり、稼働ログを送信したりする。
【００１３】
なお、カラオケサーバー７０の備える各種データベースのうち、カラオケデータベースは、カラオケ楽曲の伴奏音楽や歌詞画像、歌詞画像の背景映像の表示シーケンスなどを含むカラオケデータを楽曲ＩＤをキーにして格納したものである。
【００１４】
会員情報データベースは、会員登録されている利用者が所持するＩＣカードに固有のＩＣカード番号とした個人ＩＤをキーとして、個人情報や各種履歴情報を対応付けして格納し管理している。
【００１５】
＝＝＝カラオケ演奏装置１０＝＝＝
カラオケ演奏装置１０は、汎用パソコンの応用装置である。図２にカラオケ演奏装置１０の機能ブロック構成を例示している。中央制御部１１は周辺構成部を制御してカラオケ演奏装置１０を統括している。
【００１６】
ハードディスク装置１２には、メインコンピュータのプログラムのほか、カラオケサーバー７０から配信されたカラオケデータを記憶し、カラオケデータベースとして管理している。また、カラオケ演奏可能なカラオケ楽曲について、曲名・アーティスト名・楽曲ジャンルなどの索引情報を、楽曲ＩＤに対応付けして集約した楽曲索引データベースを格納している。
【００１７】
カラオケ演奏装置１０の中央制御部１１は、利用者端末２０から送信されてきた楽曲ＩＤを受け付けたり、操作／表示パネル１３に入力された楽曲ＩＤを受け付けたりすると、その楽曲ＩＤを受け取った順にＲＡＭなどに格納し、その受付順に格納された楽曲ＩＤを演奏処理の待ち行列として管理する。そして待ち行列に登録された順に楽曲ＩＤを取り出して、その楽曲ＩＤに該当するカラオケデータを取り出して演奏処理を行なう。つまり中央制御部１１の制御により、取り出されたカラオケデータに基づいて、演奏処理部１５が伴奏音楽の音楽信号を生成し、マイクロホンに入力された歌声信号とミキシングアンプ１６で混合・増幅してスピーカより音響出力する。また、映像処理部１７が背景映像に演奏の進行に同期して色変わりする歌詞字幕をスーパーインポーズ処理してディスプレイ１８に映像出力する。
【００１８】
＝＝＝利用者端末２０＝＝＝
利用者端末２０は、タッチパネルを主要なユーザインタフェースとしたタブレットコンピュータである。図３に利用者端末２０の機能ブロック構成を示した。ＣＰＵ・ＲＡＭ・ＲＯＭを含む端末制御部２１を主制御部として、ハードディスク装置２２・タッチパネル２３・通信インタフェース２４を備えている。通信インタフェース２４は無線アクセスポイント４０を介してＬＡＮ１１０に接続されている。
【００１９】
ハードディスク装置２２には、当該タブレットコンピュータを利用者端末として機能させるためのプログラムを格納している。端末制御部２１は、ハードディスク装置２２に格納されているプログラムにしたがって動作する。また、ＬＡＮ１１０を介してカラオケ演奏装置１０が管理する楽曲索引データベースにアクセスし、検索クエリーを送信しその検索レポートの返信を受けて必要な索引情報を取り寄せる。タッチパネル２３による対話形式のユーザインタフェース環境により、利用者の希望する楽曲の索引情報を楽曲索引データベースから検索して提示する。図４に、利用者端末２０のトップメニュー画面を例示した。このトップ画面を起点として、曲名検索・歌手名検索・新譜検索・デュエット曲検索・あのころ検索など、さまざまな検索モードにより選曲を行える。また、利用者により選曲した楽曲を演奏予約する旨の指示入力がなされると、その楽曲の楽曲ＩＤを含む演奏予約電文を同室内のカラオケ演奏装置１０に送信する。
【００２０】
またこの利用者端末２０は、会員が所持するＩＣカードがカードインタフェースに付帯するアンテナにかざされると、ＩＣカードのカードＩＤを読み取って、当該ＩＤをカラオケサーバー７０に送付してカラオケサーバー７０にログインさせる。それによって、利用者端末２０を操作する会員が自身の好みの曲の楽曲ＩＤ群（Ｍｙリスト）を取り寄せたり、更新したりすることができる。
【００２１】
なお、楽曲索引データベースは、適宜にカラオケ演奏装置１０やカラオケサーバー７０と通信するなどして、利用者端末２０のハードディスク装置２２に格納させて利用してもよい。
【００２２】
＝＝＝付加価値データベース＝＝＝
本実施例のカラオケシステムは、付加価値データベースにアクセス可能であることに特徴がある。付加価値データベースは、カラオケ演奏装置１０で演奏可能な各カラオケ楽曲に関連するインターネットサイトのＵＲＬやそのサイトの概要説明などの付加価値情報源を、楽曲ＩＤに対応付けして集約したものであり、カラオケサーバー７０に付加価値情報源を集約して構築している。
【００２３】
付加価値情報源とは、たとえば、ある楽曲のアーティストのオフィシャルサイトや、楽曲の歌詞やメロディが表現する情景の元になった場所や人物について記述されているサイトや、楽曲のＣＤを発売しているレコード会社のサイトなど、当該楽曲にまつわる種々の情報にアクセスするためのものである。
【００２４】
本実施例では、カラオケ演奏装置１０が適宜な機会にカラオケサーバー７０とデータ通信してハードディスク装置１２に付加価値データベースを格納し、更新管理している。図５に付加価値データベースのデータ論理構成を例示している。付加価値データベースに格納される楽曲ＩＤにつき、１組以上のＵＲＬとそのサイトの概要説明記述とが対応付けされている。そして利用者端末２０は、ＬＡＮ１１０を介してカラオケ演奏装置１０と通信して付加価値データベースにアクセスして利用可能である。
【００２５】
なお、付加価値データベースを利用者端末２０に格納して利用する構成でもよい。利用者端末２０が適宜にカラオケサーバー７０やカラオケ演奏装置１０と通信して付加価値データベースを更新・管理する。または、カラオケ演奏装置１０にも利用者端末２０にも付加価値データベースを格納せず、後述するように付加価値データベースを参照する必要が生じた都度、カラオケサーバー７０の付加価値データベースにアクセスする構成でもよい。
【００２６】
＝＝＝選曲履歴管理＝＝＝
図６に本実施例にかかる処理フローを例示している。カラオケ演奏装置１０は、利用者端末２０の各種の楽曲検索機能により選曲された楽曲が演奏予約されると（ｓ１、ｓ２）、その選曲の履歴を管理する機能を備えている。中央制御部１１は、利用者端末２０から受信した演奏予約電文に含まれた楽曲ＩＤを時系列にメモリに記憶させ、選曲履歴簿として管理する（ｓ３）。図７に選曲履歴簿の論理構成を例示している。演奏予約電文の楽曲ＩＤを選曲履歴簿に記憶する際には、この楽曲ＩＤに予約中の旨を示す未演奏フラグを対応付けて記憶させる。また、ログインした会員による選曲の場合には、会員のカードＩＤ等の識別符号もあわせて選曲履歴簿の楽曲ＩＤに付帯させるとよい。
【００２７】
また、複数台の利用者端末２０のそれぞれを識別管理してもよい。たとえば、選曲管理簿には、演奏予約電文の送信元の利用者端末２０の識別符号を対応付けておく。
【００２８】
演奏が終了すると、中央制御部１１は当該楽曲ＩＤを選曲履歴簿と対比させ、選曲履歴簿の該当する楽曲ＩＤについて、対応付けされている未演奏フラグを演奏済の旨を示す既演奏フラグに変えて記憶させる（ｓ４〜ｓ５）。
【００２９】
あるいは、既演奏フラグのかわりに演奏日時を対応づけるようにしてもよい。また、未演奏フラグは必ずしも付する必要はなく、選曲履歴簿中で演奏日時（既演奏フラグ）が対応づけられていない楽曲ＩＤを未演奏曲と認識する方式でもよい。つまり、選曲履歴簿は、演奏予約リストと演奏履歴とを結合させたものであってもよい。
【００３０】
演奏時に歌唱採点機能を利用した場合には、歌唱採点データをあわせて選曲履歴簿の該当楽曲ＩＤに対応付けてもよい。演奏時にその他の各種機能を利用した場合にも、その旨や結果の情報を選曲履歴簿の該当楽曲ＩＤに対応付けてもよい。
【００３１】
選曲履歴簿の内容は、適宜な機会に初期化される。たとえば全ログインユーザがログアウトした場合や全利用客が退室した際などに、店員の操作入力により初期化できるようにしておく。ログイン会員ごとに選曲履歴を集計して、会員情報データベースに送信するようにしてもよい。
【００３２】
＝＝＝選曲履歴提示処理＝＝＝
利用者端末２０は、利用者の指示入力により選曲履歴を利用者に提示する機能を備えている。適宜なユーザインタフェースにより利用者が選曲履歴の表示を指示入力すると、選曲装置２０の端末制御部２１は、カラオケ演奏装置１０から選曲履歴簿を取り寄せ（ｓ６〜ｓ７、ｓ１４〜ｓ１５）、選曲履歴リストをタッチパネル２３に表示させる（ｓ１０）。たとえばトップ画面（図４）に配設された「選曲りれき」ボタンが指示入力されると、図８に例示した選曲履歴リストをタッチパネル２３に画面表示させる。選曲履歴リストには、選曲履歴簿の各楽曲ＩＤに基づいて楽曲索引データベースから索引情報を取り寄せることにより（ｓ８〜ｓ９）、それぞれの曲名とアーティスト名を一覧表示させる（ｓ１０）。なお楽曲索引データベースが利用者端末２０に格納されている場合には、カラオケ演奏装置１０から索引情報を取り寄せる（ｓ８〜ｓ９）必要がないことはいうまでもない。
【００３３】
また選曲履歴リストには、未演奏フラグのついている楽曲は予約中である旨を、また既演奏フラグがついている楽曲については演奏済みである旨を表示させる。たとえば、予約中の楽曲と演奏済みの楽曲とは異なる色の文字で表示させる。
【００３４】
さらに、選曲した会員ＩＤが対応付けされている場合には会員名などを表示させる。既演奏フラグのついた楽曲につき、歌唱採点データが対応付けされている場合には、点数などの情報を表示させる。その他の歌唱結果の情報が対応付けされている場合にも、適宜に結果を表示させる。
【００３５】
なお、選曲履歴簿に登録されている楽曲ＩＤ数が所定数より多い場合は、登録が新しい順に所定曲数分を抽出して利用者に提示すればよい。
【００３６】
一覧表示された選曲履歴リスト中のいずれかの曲が利用者により選択指定入力された場合に、端末制御部２１は、当該楽曲の詳細情報を表示させる。この際に、端末制御部２１は当該楽曲ＩＤに基づいて付加価値データベースにアクセスし（ｓ１１）、楽曲ＩＤに対応付けされている付加価値情報源を抽出し（ｓ１２）、図９に例示しているように、当該楽曲に関連するインターネットサイトの概要説明を一覧的に表示させる（ｓ１３）。このサイト説明記述には、ＨＴＭＬ形式などにより、対応するＵＲＬ情報を埋め込んで構成する。
【００３７】
そして一覧表示されたサイト説明記述の中から、利用者によりいずれか１つが選択指定入力されると、インターネットを介して当該サイトのＵＲＬ情報を含むリクエストを送信し、サイトの情報をディスプレイ２３に表示させる。
【００３８】
もちろん、楽曲の詳細画面からは転送ボタンを押すなどの所定の操作により、当該楽曲の演奏予約が可能である。これにより、利用者は予約リストと演奏履歴の双方を確認しなくても先に選曲された曲目を簡単に確認したり、好きな曲やアーティストの情報などの楽曲にまつわる情報を簡単に仕入れたりできるので、カラオケの楽しみが飛躍的に拡大する。
【００３９】
複数台の利用者端末２０からの選曲予約曲をカラオケ演奏装置１０に集約して管理することにより、どの利用者端末２０に対しても同じ選曲履歴リストが提示される。
【００４０】
もちろん、選曲履歴簿で利用者端末２０を識別管理する場合に、各利用者端末２０の選曲履歴を個別に提示することもできる。また利用者端末２０が１台の場合も本発明を適用できる。
【図面の簡単な説明】
【００４１】
【図１】本発明の実施例における通信カラオケシステムのネットワーク構成図である。
【図２】本実施例のカラオケ演奏装置のブロック構成図である。
【図３】本実施例の利用者端末のブロック構成図である。
【図４】同利用者端末のトップメニュー画面を例示した図である。
【図５】本実施例の付加価値データベースの論理データ構成を例示している。
【図６】本実施例の選曲履歴管理に関する処理フロー図である。
【図７】本実施例のカラオケ演奏装置が管理する選曲管理簿の論理データ構成を例示している。
【図８】本実施例の利用者端末における選曲履歴の表示画面を例示した図である。
【図９】利用者端末における楽曲関連サイト情報の表示画面を例示した図である。
【符号の説明】
【００４２】
１０  カラオケ演奏装置
１１  中央制御部
２０  利用者端末
２１  端末制御部
２３  タッチパネル
６０ａ  インターネット
【図１】
2008292856.tif 000003
【図２】
2008292856.tif 000004
【図３】
2008292856.tif 000005
【図５】
2008292856.tif 000006
【図６】
2008292856.tif 000007
【図７】
2008292856.tif 000008
【図８】
2008292856.tif 000009
【図４】
2008292856.tif 000010
【図９】
2008292856.tif 000011